(57)【要約】      （修正有）【課題】作業員が機械室内に入ることなく、容易に冷却ファンの保守、点検及び交換等の作業を行うことができるマンコンベアの制御盤装置を得る。【解決手段】マンコンベアの制御盤装置において、マンコンベアの機械室２内に収容される制御盤本体３と、前記制御盤本体３の上面に設けられた開口部と、前記制御盤本体３内に設けられた冷却ファンユニット装着部と、前記開口部から前記制御盤本体３内へと挿入され、脱着自在な取付手段を介して前記冷却ファンユニット装着部に取付された冷却ファンユニット７と、を備え、前記冷却ファンユニット７は、前記冷却ファン取付部と、前記冷却ファン取付部に取付された冷却ファンと、前記冷却ファン取付部の下端部に設けられたコネクタ取付部と、前記コネクタ取付部に取付された第１のコネクタと、を有する。【選択図】図３
2008184240.tif 000002
【特許請求の範囲】
【請求項１】
マンコンベアの機械室内に収容される制御盤本体と、
前記制御盤本体の上面に設けられた開口部と、
前記制御盤本体内に設けられた冷却ファンユニット装着部と、
前記開口部から前記制御盤本体内へと挿入され、脱着自在な取付手段を介して前記冷却ファンユニット装着部に取付された冷却ファンユニットと、を備え、
前記冷却ファンユニットは、
前記冷却ファン取付部と、
前記冷却ファン取付部に取付された冷却ファンと、
前記冷却ファン取付部の下端部に設けられたコネクタ取付部と、
前記コネクタ取付部に取付された第１のコネクタと、を有することを特徴とするマンコンベアの制御盤装置。
【請求項２】
マンコンベアの機械室内に収容される制御盤本体と、
前記制御盤本体の上面に設けられた開口部と、
前記制御盤本体内に設けられた冷却ファンユニット装着部と、
前記開口部から前記制御盤本体内へと挿入され、脱着自在な取付手段を介して前記冷却ファンユニット装着部に取付された冷却ファンユニットと、を備え、
前記冷却ファンユニットは、
前記冷却ファン取付部と、
前記冷却ファン取付部に取付された冷却ファンと、
前記冷却ファン取付部の下端部に設けられたコネクタ取付部と、
前記コネクタ取付部に取付された第１のコネクタと、を有し、
前記冷却ファンユニット装着部は、
前記コネクタ取付部に対応して設けられたコネクタ取付基台と、
前記第１のコネクタに対応して前記コネクタ取付基台に取付された第２のコネクタと、を有するとともに、前記冷却ファンユニットが前記冷却ファンユニット装着部に装着される際に、前記第１のコネクタと前記第２のコネクタとが互いに嵌合することを特徴とするマンコンベアの制御盤装置。
【請求項３】
前記脱着自在な取付手段は、前記冷却ファンユニット両側端部に上下方向に亘って凸設されたガイドと、前記冷却ファンユニット装着部に前記ガイドに対応して設けられたガイド溝と、を備え、前記冷却ファンユニットの前記冷却ファンユニットへの装着は、前記ガイドが前記ガイド溝に係合することにより上下方向摺動自在に案内された状態で前記開口部より前記制御盤本体内へと挿入されることにより行われることを特徴とする請求項１又は請求項２のいずれかに記載のマンコンベアの制御盤装置。
【請求項４】
前記冷却ファンユニットは、前記冷却ファン取付部の上端部に前記冷却ファン取付部と直交して設けられたカバーと、前記カバーの一端に設けられた取っ手と、を備えたことを特徴とする請求項１から請求項３のいずれかに記載のマンコンベアの制御盤装置。
【請求項５】
前記冷却ファンユニットは、冷却ファン取付部と、前記冷却ファン取付部に形成された冷却ファンフレーム部と、前記冷却ファン取付部の下端部に形成されたコネクタ部と、が一体に成形されて構成されたことを特徴とする請求項１又は請求項２のいずれかに記載のマンコンベアの制御盤装置。
【請求項６】
前記冷却ファンユニットは、冷却ファン取付部と、前記冷却ファン取付部に形成された冷却ファンフレーム部と、前記冷却ファン取付部の両側端部に上下方向に亘って形成されたガイド部と、前記冷却ファン取付部の下端部に形成されたコネクタ部と、が一体に成形されて構成されたことを特徴とする請求項３に記載のマンコンベアの制御盤装置。
【請求項７】
前記冷却ファンユニットは、冷却ファン取付部と、前記冷却ファン取付部に形成された冷却ファンフレーム部と、前記冷却ファン取付部の上端部に形成されたカバー部と、前記カバー部の一端に形成された取っ手部と、前記冷却ファン取付部の両側端部に上下方向に亘って形成されたガイド部と、前記冷却ファン取付部の下端部に形成されたコネクタ部と、が一体に成形されて構成されたことを特徴とする請求項４に記載のマンコンベアの制御盤装置。
【発明の詳細な説明】
【技術分野】
【０００１】
この発明は、マンコンベアの制御盤装置に関するものである。
【背景技術】
【０００２】
従来におけるマンコンベアの制御盤装置においては、機械室内に収容した制御盤の放熱性向上を図るために、階床間に架け渡されたトラスの一端に設けられた機械室と、この機械室内に収容された制御盤と、制御盤を冷却する空調装置と、機械室内の空気と機械室に連なるトラス中間部内の空気とを循環させる第１及び第２のファンと、を備えたものが知られている（例えば、特許文献１参照）。
【０００３】
【特許文献１】特開２００４−０７５２２９号公報
【発明の開示】
【発明が解決しようとする課題】
【０００４】
最近は運転速度を任意に設定調節できるようにインバータ制御のマンコンベアが多くなっているが、インバータ制御の場合、制御盤内に収容されるインバータ制御装置の発熱量が多いため、他の電気機器への悪影響等を防止するために、制御盤内の空気を制御盤外へと排出する冷却ファンを備えることが一般化している。
一方、マンコンベア内を循環移動する踏段がマンコンベア端部で反転する際には、踏段に付着していたゴミやホコリ等が遊離し、機械室内に浮遊する。こうして機械室内で循環する空気中に浮遊したゴミやホコリ等は冷却ファンに付着し、冷却効率の低下や騒音の発生を引き起こしたり、冷却ファン故障の原因にもなる。
従って、マンコンベアの正常な運行を維持するためには冷却ファンの清掃を含めた保守、点検及び交換等は十分な頻度で定期的に行われる必要がある。
しかし、特許文献１に示された従来におけるマンコンベアの制御盤装置においては、冷却ファンの保守、点検及び交換等の作業時に作業者が機械室に入らなくてはならないため、煩雑な手数が掛かり、また、作業者への負担が大きいという課題がある。
【０００５】
この発明は、前述のような課題を解決するためになされたもので、作業員が機械室内に入ることなく、容易に冷却ファンの保守、点検及び交換等の作業を行うことができるマンコンベアの制御盤装置を得るものである。
【課題を解決するための手段】
【０００６】
この発明に係る、マンコンベアの制御盤装置においては、マンコンベアの機械室内に収容される制御盤本体と、前記制御盤本体の上面に設けられた開口部と、前記制御盤本体内に設けられた冷却ファンユニット装着部と、前記開口部から前記制御盤本体内へと挿入され、脱着自在な取付手段を介して前記冷却ファンユニット装着部に取付された冷却ファンユニットと、を備え、前記冷却ファンユニットは、前記冷却ファン取付部と、前記冷却ファン取付部に取付された冷却ファンと、前記冷却ファン取付部の下端部に設けられたコネクタ取付部と、前記コネクタ取付部に取付された第１のコネクタと、を有する構成とする。
【発明の効果】
【０００７】
この発明はマンコンベアの制御盤装置に関し、マンコンベアの機械室内に収容される制御盤本体と、前記制御盤本体の上面に設けられた開口部と、前記制御盤本体内に設けられた冷却ファンユニット装着部と、前記開口部から前記制御盤本体内へと挿入され、脱着自在な取付手段を介して前記冷却ファンユニット装着部に取付された冷却ファンユニットと、を備え、前記冷却ファンユニットは、前記冷却ファン取付部と、前記冷却ファン取付部に取付された冷却ファンと、前記冷却ファン取付部の下端部に設けられたコネクタ取付部と、前記コネクタ取付部に取付された第１のコネクタと、を有する構成とすることで、作業員が機械室内に入ることなく、容易に冷却ファンの保守、点検及び交換等の作業を行うことができるという効果を奏する。
【発明を実施するための最良の形態】
【０００８】
実施の形態１．
図１から図１１は、この発明の実施の形態１に関するもので、図１はマンコンベア（エスカレータ）の上部機械室周辺の概略を示す側面図、図２は制御盤本体の側面図、図３は制御盤本体から冷却ファンユニットを取外した状態を示す側面図、図４は制御盤本体内の冷却ファンユニット装着部の正面図、図５は制御盤本体上面の平面図、図６は冷却ファンユニットを取外した状態を示す制御盤本体内の冷却ファンユニット装着部の正面図、図７は冷却ファンユニットを取外した状態を示す制御盤本体上面の平面図、図８はコネクタを取外した状態を示す冷却ファンユニットと制御盤本体内の冷却ファンユニット装着部の正面図、図９は冷却ファンユニット上面の平面図、図１０は冷却ファンユニットの側面図、図１１は冷却ファンを取外した状態を示す冷却ファンユニットの正面図である。なお、図２、図３、図４、図６及び図８において、制御盤本体内に実装される機器等のうち本発明の説明に必要のないものは図示を省略し、また、図４から図８においてはダクト内に設けられるヒートパイプの図示を省略している。
【０００９】
図１に示すように、エスカレータの上階側乗降口１の下方には機械室２が設けられ、前記乗降口１と前記機械室２との間にはこれらを連通するマンホール１ａ及びこのマンホール１ａを開閉自在に取付されるマンホール蓋１ｂが設けられている。前記機械室２内にはエスカレータ全体の制御を司る制御盤本体３が前記マンホール１ａの下方に配置され、駆動装置等も収容されている。前記制御盤本体３の収容面上部にはダクト４が設けられ、前記ダクト４の下部に電力変換器５が取付されている。また、前記電力変換器５が発生する熱を逃がす為のヒートパイプ６が、前記電力変換器５から前記ダクト４内に延出して設けられている。なお、前記制御盤本体３内にはその他エスカレータ制御に必要な各種機器等（図示せず）も収容されている。
一方、７は冷却ファンユニットで、２つの冷却ファン８と、取付板９と、カバー１０と、２つのファン側コネクタ（第１のコネクタ）１１ａと、から成る。すなわち、前記冷却ファン８は、前記取付板９の基面９ａ（冷却ファン取付部）の２箇所に穿設された冷却ファン取付孔９ｂに、スタッドネジ１２ａ及びナット１２ｂを用いてそれぞれ螺着されている。そして、前記取付板９の上端部に前記基面９ａと直交して設けられた受板９ｃには、その一端が略Ｚ字型に折曲されることにより形成された取っ手１０ａを備えた前記カバー１０が、カバー取付ネジ１３により螺着されている。また、前記基面９ａの下端の一部は前記冷却ファン８側に直角に折曲され、コネクタ取付部９ｄを形成し、このコネクタ取付部９ｄに前記ファン側コネクタ１１ａが取付される。なお、前記ファン側コネクタ１１ａと前記冷却ファン８のモータとは電気的に接続されている。
【００１０】
前記取付板９の前記基面９ａの両側端部には上下方向に亘ってガイド９ｅが凸設される。そして、前記ガイド９ｅに対応して前記ダクト４にはガイド溝４ａが設けられ、冷却ファンユニット装着部を構成する。これにより、前記ガイド９ｅが、前記ガイド溝４ａによって上下方向に案内されて摺動し、前記ダクト４に前記冷却ファンユニット７を脱着自在に取付することができる。
また、前記制御盤本体３の上面には、前記冷却ファンユニット７を脱着するための開口部３ａ及びユニット取付ネジ孔３ｂが設けられ、この開口部３ａの寸法は前記基面９ａの前記冷却ファン８の取付部分における水平断面寸法より大きく、かつ、前記カバー１０から前記取っ手１０ａを除いた部分における水平面への投影寸法より小さくなるように調整されている。
そして、前記冷却ファンユニット７は、前記ガイド９ｅが前記ガイド溝４ａに係合することにより上下方向摺動自在に案内された状態で前記開口部３ａより前記制御盤本体３内へと挿入され、更に、前記カバー１０をユニット取付ネジ１４及び前記ユニット取付ネジ孔３ｂにより前記制御盤本体３上面へと螺着することにより、前記制御盤本体３及び前記ダクト４に装着される。また、前記ファン側コネクタ１１ａには、ケーブル１５の一端に接続されたケーブル側コネクタ（第２のコネクタ）１１ｂが嵌合される。
【００１１】
以上のように構成されたマンコンベアの制御盤装置において、前記冷却ファン８の保守、点検及び交換等の作業手順は以下のようになる。
まず、前記マンホール蓋１ｂを取外して前記マンホール１ａを開き、前記制御盤本体３の上面を露出させる。次に、前記制御盤本体３上面の前記ユニット取付ネジ１４を取外し、前記カバー１０の前記取っ手１０ａを持ち上げて、前記冷却ファンユニット７を前記制御盤本体３及び前記ダクト４から取出す（図３）。そして、前記冷却ファン８の保守、点検及び交換等の作業を行った後、今度は先程とは逆の手順を辿り、前記冷却ファンユニット７を前記制御盤本体３及び前記ダクト４に装着する。
このような手順により、作業員が機械室内に入ることなく、容易に冷却ファンの保守、点検及び交換等の作業を行うことができ、また、作業員への負担を軽減することができる。
なお、前述の前記冷却ファンユニット７を取出した状態（図３）から、前記ファン側コネクタ１１ａと前記ケーブル側コネクタ１１ｂとの接続を外す事により（図８）、前記冷却ファンユニット７を任意の場所へと持運ぶ事ができるようになるため、前記冷却ファン８の保守、点検及び交換等の作業を任意の場所で行うことも可能である。
【００１２】
実施の形態２．
図１２及び図１３は、この発明の実施の形態２に関するもので、図１２は制御盤本体から冷却ファンユニットを取外した状態を示す正面図、図１３は制御盤本体内に冷却ファンユニットが装着された状態を示す側面図である。図１２及び図１３において、図１から図１１と同符号は同一部分もしくは相当部分を示しており、説明を省略する。
ここで説明する実施の形態２に係る構成は、前記実施の形態１に係る構成と比して、以下の点で異なるものである。
すなわち、前記冷却ファンユニット７の下部に設けられている前記コネクタ取付部９ｄに対応して、前記ダクト４にコネクタ取付基台４ｂが設けられている。そして、前記コネクタ取付部９ｄに取付された前記ファン側コネクタ１１ａに対応して、前記コネクタ取付基台４ｂに前記ケーブル側コネクタ１１ｂが取付されている。
前記冷却ファンユニット７は、前記ガイド９ｅが前記ガイド溝４ａに係合することにより上下方向摺動自在に案内された状態で前記開口部３ａより前記制御盤本体３内へと挿入され、前記コネクタ取付部９ｄの前記ファン側コネクタ１１ａを前記コネクタ取付基台４ｂの前記ケーブル側コネクタ１１ｂに嵌入して、前記制御盤本体３及び前記ダクト４に装着する。なお、ここでは、冷却ファンユニット７は前記実施の形態１と同一のものを用いている。
【００１３】
以上のように構成されたマンコンベアの制御盤装置における、前記冷却ファン８の保守、点検及び交換等の作業手順は、前記実施の形態１における作業手順とほぼ同様であるが、前記冷却ファンユニット７を取外すことにより、自動的に前記ファン側コネクタ１１ａと前記ケーブル側コネクタ１１ｂとの嵌合も外れることになり、この点で前記実施の形態１で述べた、前記ファン側コネクタ１１ａと前記ケーブル側コネクタ１１ｂとの接続を外すという工程を独立して行うことなく、前記冷却ファンユニット７を任意の場所へと持運ぶ事が可能となる。また、逆に、前記冷却ファンユニット７の装着時には、前記冷却ファンユニット７の装着と同時に前記ファン側コネクタ１１ａと前記ケーブル側コネクタ１１ｂとが嵌合するために、前記ファン側コネクタ１１ａと前記ケーブル側コネクタ１１ｂとが嵌合させるという独立した工程も不要となる。
また、前記実施の形態１では、前記制御盤本体３及び前記ダクト４から前記冷却ファンユニット７を取外した時点では、前記ファン側コネクタ１１ａと前記ケーブル側コネクタ１１ｂとの接続が外れていないので、前記冷却ファンユニット７の取外し作業を潤滑に実施するためには前記ケーブル１５に余長を持たせる必要がある。この前記ケーブル１５に余長を持たせたがために、前記冷却ファンユニット７装着時に、前記制御盤本体３内に収容された動作時に発熱を伴う電気部品等に接触するなどして、前記ケーブル１５が損傷してしまう恐れがあった。
しかし、ここで説明した実施の形態２に係るマンコンベアの制御盤装置においては、その構成上、前記ケーブル１５に余長を持たせる必要がないため、前述のような恐れは解消される。
従って、ここで説明した実施の形態２に係るマンコンベアの制御盤装置においては、前記実施の形態１と同様の効果に加えて、更に容易に冷却ファンの保守、点検及び交換等の作業を行うことができ、また、作業員への負担を軽減することができると共に、冷却ファン駆動電源を供給するケーブルの損傷の恐れを低減することができるという効果も合わせて期待することができる。
【００１４】
実施の形態３．
図１４及び図１５は、この発明の実施の形態３に関するもので、図１４は一体成形冷却ファンユニットの正面図、図１５は一体成形冷却ファンユニットの側面図である。
ここで説明する実施の形態３においては、前述した実施の形態１又は実施の形態２における冷却ファンユニット７に対応するものとして、例えばアルミダイカストや耐熱性樹脂等で一体成形した一体成形冷却ファンユニット１６を用いる。
すなわち、一体成形冷却ファンユニット１６は、前記冷却ファン８のファンフレーム及び前記冷却ファン取付孔９ｂに対応する冷却ファンフレーム部１６ａ、前記基面９ａに対応する基面部１６ｂ（冷却ファン取付部）、前記受板９ｃ及び前記カバー１０に対応するカバー部１６ｃ、前記取っ手１０ａに対応する取っ手部１６ｄ、前記ガイド９ｅに対応するガイド部１６ｅ、並びに、前記コネクタ取付部９ｄ及び前記ファン側コネクタ１１ａに対応するコネクタ部１６ｆとから成る。
【００１５】
以上のような構成によっても、前記実施の形態１又は実施の形態２と同様の効果が得られると共に、冷却ファンユニットの製作場面において、部品数を減らし、かつ、複数の部品をネジ等で組立てる工程が不要となることから、製作費用の低減や組立作業の短縮等を図ることができる。
【図面の簡単な説明】
【００１６】
【図１】この発明の実施の形態１におけるマンコンベア（エスカレータ）の上部機械室周辺の概略を示す側面図である。
【図２】この発明の実施の形態１における制御盤本体の側面図である。
【図３】この発明の実施の形態１における制御盤本体から冷却ファンユニットを取外した状態を示す側面図である。
【図４】この発明の実施の形態１における制御盤本体内の冷却ファンユニット装着部の正面図である。
【図５】この発明の実施の形態１における制御盤本体上面の平面図である。
【図６】この発明の実施の形態１における冷却ファンユニットを取外した状態を示す制御盤本体内の冷却ファンユニット装着部の正面図である。
【図７】この発明の実施の形態１における冷却ファンユニットを取外した状態を示す制御盤本体上面の平面図である。
【図８】この発明の実施の形態１におけるコネクタを取外した状態を示す冷却ファンユニットと制御盤本体内の冷却ファンユニット装着部の正面図である。
【図９】この発明の実施の形態１における冷却ファンユニット上面の平面図である。
【図１０】この発明の実施の形態１における冷却ファンユニットの側面図である。
【図１１】この発明の実施の形態１における冷却ファンを取外した状態を示す冷却ファンユニットの正面図である。
【図１２】この発明の実施の形態２における制御盤本体から冷却ファンユニットを取外した状態を示す正面図である。
【図１３】この発明の実施の形態２における制御盤本体内に冷却ファンユニットが装着された状態を示す側面図である。
【図１４】この発明の実施の形態３における一体成形冷却ファンユニットの正面図である。
【図１５】この発明の実施の形態３における一体成形冷却ファンユニットの側面図である。
【符号の説明】
【００１７】
１    乗降口
１ａ  マンホール
１ｂ  マンホール蓋
２    機械室
３    制御盤本体
３ａ  開口部
３ｂ  ユニット取付ネジ孔
４    ダクト
４ａ  ガイド溝
４ｂ  コネクタ取付基台
５    電力変換器
６    ヒートパイプ
７    冷却ファンユニット
８    冷却ファン
９    取付板
９ａ  基面
９ｂ  冷却ファン取付孔
９ｃ  受板
９ｄ  コネクタ取付部
９ｅ  ガイド
１０    カバー
１０ａ  取っ手
１１ａ  ファン側コネクタ（第１のコネクタ）
１１ｂ  ケーブル側コネクタ（第２のコネクタ）
１２ａ  スタッドネジ
１２ｂ  ナット
１３    カバー取付ネジ
１４    ユニット取付ネジ
１５    ケーブル
１６    一体成形冷却ファンユニット
１６ａ  冷却ファンフレーム部
１６ｂ  基面部
１６ｃ  カバー部
１６ｄ  取っ手部
１６ｅ  ガイド部
１６ｆ  コネクタ部
【図１】
2008184240.tif 000003
【図２】
2008184240.tif 000004
【図３】
2008184240.tif 000005
【図４】
2008184240.tif 000006
【図５】
2008184240.tif 000007
【図６】
2008184240.tif 000008
【図７】
2008184240.tif 000009
【図８】
2008184240.tif 000010
【図９】
2008184240.tif 000011
【図１０】
2008184240.tif 000012
【図１１】
2008184240.tif 000013
【図１２】
2008184240.tif 000014
【図１３】
2008184240.tif 000015
【図１４】
2008184240.tif 000016
【図１５】
2008184240.tif 000017